(57)【要約】【課題】少なくとも、原稿の表面に光を照射する第１の照射手段と、この照射手段からの反射光を読み取る第１の光学読取手段と、原稿の裏面に光を照射する第２の照射手段と、この照射手段からの反射光を読み取る第２の光学読取手段と、原稿を自動的に搬送する原稿搬送手段とを有し、第１、２の照射手段及び光学読取手段のどちらか一方が、開閉可能な圧板と一体となっている両面同時読取装置について、故障以外時は、常にＦＢ読取を即座に行えるように、ユーザのユーザビリティーを向上させる。【解決手段】原稿のサイズを検知する原稿サイズ検知センサと、圧板の開閉状態に関わらず、読取可能な位置に設置された白基準板を有し、原稿搬送手段側に搭載されている光学読取手段の初期化状態に関わらず、プラテンガラスに載置した原稿の読取或は原稿搬送手段を用いた片面読取をもう一方の光学読取手段で行う。【選択図】        図１
2004180198.tif 000002
【特許請求の範囲】
【請求項１】
少なくとも、原稿の表面に光を照射する第１の照射手段と、前記第１の照射手段からの光が原稿を反射して跳ね返ってきた反射光を読み取る第１の光学読取手段と、原稿の裏面に光を照射する第２の照射手段と、前記第２の照射手段からの光が原稿を反射して跳ね返ってきた反射光を読み取る第２の光学読取手段と、前記第１の照射手段及び第１の光学読取手段の動作を制御する第１の制御手段と、前記第２の照射手段及び第２の光学読取手段の動作を制御する第２の制御手段と、読取位置まで原稿を自動的に搬送する原稿搬送手段とを有し、前記第１・２の照射手段及び光学読取手段のどちらか一方が、開閉可能な圧板と一体となっている両面同時読取装置において、前記原稿搬送手段に積載されている原稿有無を検知する原稿検知センサと、プラテンガラス上に載置した原稿のサイズを検知する原稿サイズ検知センサと、前記圧板の開閉状態に関わらず、読取可能な位置に設置された白基準板を有し、前記原稿搬送手段側に搭載されている光学読取手段の初期化が正常に終了していなくても、プラテンガラスに載置した原稿の読取、あるいは、前記原稿搬送手段を用いた片面読取をもう一方の光学読取手段で行なうことを特徴とする両面同時読取装置。
【請求項２】
前記請求項１記載の両面同時読取装置は、一方の光学読取手段の初期化が正常に終了していない時に、ユーザが両面読取を指示されれば、即座に初期化指示を出すことを特徴とする両面同時読取装置。
【請求項３】
前記請求項１記載の両面同時読取装置は、前記原稿搬送手段に積載されている原稿を検知した場合にのみ、初期化指示を再度行なうことを特徴とする両面同時読取装置。
【請求項４】
前記請求項１記載の両面同時読取装置は、前記圧板と一体となった読取手段の初期化が正常に終了していない場合に、プラテンガラス上に載置された原稿を検知すると、前記圧板が閉じられても、即座に初期化指示を行なわないことを特徴とする両面画像読取装置。
【請求項５】
前記請求項１乃至４のいずれか１項に記載の両面同時読取装置は、前記圧板が閉じられた状態で、設定された所定時間の間、ユーザが一度も触らなかった場合にのみ、初期化指示を再度行なうことを特徴とする両面同時読取装置。
【請求項６】
前記請求項１乃至５のいずれか１項に記載の両面同時読取装置において、正常に初期化が終了した一方の読取手段は、設定された所定時間を経過していなければ、再度初期化を行なうことはなく、もう一方の読取手段のみ初期化を行なうことを特徴とする両面同時読取装置。
【発明の詳細な説明】
【０００１】
【発明の属する技術分野】
本発明は紙等のシート状媒体の両面に記載された文字等を画像情報として、同時に読み取ることが可能な画像読取装置に関するものである。
【０００２】
【従来の技術】
従来の両面画像読取装置の代表的な装置は、大きく分けて２種類存在する。一つは各面の画像情報を読み取る手段として、一つの読取手段と、原稿の反転手段とを持った両面読取装置がある。もう一つは、読取原稿搬送路の両側に光学読取ユニットを配置することにより、原稿の両面を同時に読取ることを可能にした両面画像読取装置がある。後者の場合、二つの光学読取ユニットがともに可動して読み取る装置と自動搬送装置（Ａｕｔｏ  Ｄｏｃｕｍｅｎｔ  Ｆｅｅｄｅｒ：以下ＡＤＦという）を搭載し、光学読取ユニットは固定だが、原稿を移動させることにより両面を読み取る装置がある。
【０００３】
また、後者の両面同時読取装置においても、特開平１１−３２１６４号公報、特開２００２−７７５９６号公報に記載のように、等倍密着形イメージセンサと縮小光学系のイメージセンサを２つ搭載する両面読取装置と、特開平５−１８３６８７号公報、特開平７−３２７１１１号公報に記載のような両側に縮小光学系のイメージセンサを搭載しているもの、あるいは２つの等倍密着形イメージセンサで構成されたものがある。
【０００４】
【発明が解決しようとする課題】
しかし、従来の両面同時読取装置は、一方の光学読取系の初期化が正常に終了しなかった場合に、もう一方の光学読取系で読取を行なうことができない問題があった。特に、電源をＯＮした時、あるいはパワーセーブモードから復帰する時のような初期化を行なう際に、圧板が開いていたままであって、一方の初期化が終了しなかった場合、圧板を閉じるよう、ユーザに指示し、再度、初期化を行ない、両方の初期化が正常に終了しないと、既に初期化が完了している読取系であっても読取を行なわず、初期化終了までの数秒の間、ユーザをイライラさせる問題があった。
【０００５】
【課題を解決するための手段】
以上のような問題を解決するための請求項１記載の発明は、少なくとも、原稿の表面に光を照射する第１の照射手段と、前記第１の照射手段からの光が原稿を反射して跳ね返ってきた反射光を読み取る第１の光学読取手段と、原稿の裏面に光を照射する第２の照射手段と、前記第２の照射手段からの光が原稿を反射して跳ね返ってきた反射光を読み取る第２の光学読取手段と、前記第１の照射手段及び第１の光学読取手段の動作を制御する第１の制御手段と、前記第２の照射手段及び第２の光学読取手段の動作を制御する第２の制御手段と、読取位置まで原稿を自動的に搬送する原稿搬送手段とを有し、前記第２の照射手段及び光学読取手段が、開閉可能な圧板と一体となっている両面同時読取装置において、前記原稿搬送手段に積載されている原稿の有無を検知する原稿検知センサと、プラテンガラス上に載置した原稿のサイズを検知する原稿サイズ検知センサと、前記圧板の開閉状態に関わらず、読取可能な位置に設置された白基準板を有し、前記原稿搬送手段側に搭載されている光学読取手段の初期化が正常に終了していなくても、プラテンガラスに載置した原稿の読取あるいは、前記原稿搬送手段を用いた片面読取を第１の光学読取手段で行なうことを特徴とする両面同時読取装置。
【０００６】
これにより、初期化未完の原因に関わらず、ＡＤＦ側の読取ユニットの初期化が終了していなくても、ＦＢ側の読取ユニットさえ、初期化が終了しているのであれば、片面読取を即座に開始できるようになる。
【０００７】
前記請求項２記載の発明に係る両面同時読取装置は、一方の光学読取手段の初期化が正常に終了していない際に、ユーザが両面読取を指示されれば、即座に初期化指示を出すことを特徴としている。
【０００８】
これにより、故障等で初期化が終了しなかった場合を除いた一方の光学読取手段の初期化が終了してなかった場合でも、ユーザが両面読取を指定することで、即座に初期化を行ない、両面読取開始までの時間を短縮する。
【０００９】
前記請求項３記載の発明に係る両面同時読取装置は、一方の光学読取手段の初期化が正常に終了してなくても、前記原稿搬送手段に積載されている原稿を検知した場合にのみ、初期化指示を再度行なうことを特徴とする両面同時読取装置。
【００１０】
これにより、故障等で初期化が終了しなかった場合を除いた一方の光学読取手段の初期化が終了してなかった場合でも、ユーザが給紙トレイの原稿を検知することで、即座に初期化を行ない、ＡＤＦ読取開始までの時間を短縮する。
【００１１】
前記請求項４記載の発明に係る両面同時読取装置は、プラテンガラス上に載置された原稿を検知し、前記圧板が閉じられている場合は、第２の読取手段の初期化が正常に終了していなくても、初期化指示を行なわないこと特徴とする両面画像読取装置。
【００１２】
これにより、ユーザが今から行なうＦＢ読取に対して、不必要なＡＤＦ側の初期化をＦＢ読取後に行なうことができるため、ユーザは、初期化を行なうまでの時間を待つ必要がなく、イライラ感を抱くことがなくなる。
【００１３】
前記請求項５記載の発明に係る両面同時読取装置は、前記圧板が閉じられた状態で、設定された所定時間の間、ユーザが一度も触らなかった場合にのみ、初期化指示を再度行なうことを特徴とする両面同時読取装置。
【００１４】
これにより、電源投入時やスリープ状態からＲｅａｄｙ状態に遷移する初期化時において、圧板が開いていたのが理由で、両側の初期化が正常に終了できていなかった場合に、ユーザの使用状況を見て、初期化動作を再度行なえるようになる。
【００１５】
前記請求項６記載の発明に係る両面同時読取装置において、正常に初期化が終了した一方の読取手段は、設定された所定時間を経過していなければ、再度初期化を行なうことはなく、もう一方の読取手段のみ初期化を行なうことを特徴とする両面同時読取装置。
【００１６】
これにより、初期化が正常に終了した読取手段は、少しの時間しか経過していなければ、オフセット、ゲイン設定を再度行なう必要はないと判断し、再度初期化コマンドを受けても、正常に初期化が終了していない読取手段のみ初期を行なえることができる。
【００１７】
【発明の実施の形態】
（第１の実施例）
本発明に係る画像両面読取装置は、例えば、図１に示すような画像読取装置がある。この画像読取装置には、原稿自動搬送装置２０１（以下ＡＤＦと示す）を装備している。また、コンタクトガラス１０１上に載置した原稿を読み取る第１の光学読取ユニット１０６と原稿を搬送させながら原稿を読み取る第２の光学読取ユニット２０９を備えている。但し、必ずしも、第１の光学読取ユニット１０６全てが走査する構成である必要はない。
【００１８】
ここでの光学読取ユニットは、照射光源・反射ミラー・集光レンズ・ＣＣＤで構成されている。そのため、第１の読取ユニット１０６がＡＤＦ読取位置まで移動することで、給紙トレイ２０２に積載された原稿は、ピックアップローラ２０３でピックアップし、給紙ローラ２０４によって原稿読取位置まで搬送し、同時に第１の光源１０２・第２の光源２０５で照射し、第１のＣＣＤ１０５・第２のＣＣＤ２０８によって同時読取が可能となる。
【００１９】
第１の光学読取ユニット１０６を例にとると、読取方法としては、照射光源１０２からの光が原稿に照射され、その反射光が反射ミラー１０３を介して、集光レンズ１０４により読取手段であるＣＣＤ１０５に受光した後、光電変換し、主走査方向の画像情報を得る。また、ＡＤＦにより原稿を読み取る場合は、原稿を順次移動させることによって、原稿の副走査方向の画像情報を得る。その後、排紙ローラ２１１によって排紙トレイ２１２に排出される構成になっている。
【００２０】
次に白基準板を用いた初期化動作について説明する。初期化の際には、必ずオフセット調整という操作を行なう。これは、ＣＣＤには、暗電時出力というものが存在するからである。つまり、ＣＣＤに光が入射しなくても、ＣＣＤから出力される電圧のことである。故に、通常ＣＣＤに光が入射されているときのＣＣＤの出力から前記記載の暗電時出力を差し引かねば正常な値を読み取ることができない。この操作をオフセット調整といい、一般には、光源をＯＦＦした状態で、ＣＣＤ出力を読み取り、出力値を記憶するような操作をしている。その後。ゲイン調整を行なう。ゲイン調整とは、光源を白基準板にあてた時のＣＣＤのアナログ出力を増幅し、なるべくＡ／Ｄコンバータの最大入力電圧に調整を行なう操作のことで、読取装置の解像度にも関与する。
【００２１】
つぎに、白基準板を読む際の動作について説明する。図１に示すような代表的な画像読取装置では、第１の光学読取ユニット１０６が読み取る第１の白基準板１０７は、プラテンガラス１０１の下側に貼り付けてあり、一方、第２の光学読取ユニット２０９が読み取る第２の白基準板２１０は、プラテンガラス１０１のすぐ隣に配置されている。
【００２２】
したがって、第２の光学読取ユニット２０９が、上述したゲイン調整を行なうためには、第２の白基準板２１０を必要があり、第２の光学読取ユニット２０９と一体となった圧板が閉じられていなければならない。一方、第１の光学読取ユニット１０６は、プラテンガラス１０１の下側に第１の白基準板があるため、圧板の開閉状態に関係なく、第１の光学読取ユニット１０６が第１の白基準板１０７を読み取れる位置まで移動することで、ゲイン調整を行なうことができる。
【００２３】
以上のように、電源をＯＮした時、あるいは、他の制御手段から初期化指示コマンドを画像読取装置がもらった際に、圧板が開かれていた場合に、第２の光学読取ユニットは、白基準板を読むことができないため、ゲイン調整が正常に終了することが不可能である。以下に、このような状態が発生した際の本発明における初期化シーケンスを図２を用いて説明する。
【００２４】
まず、Ｓ１００は、電源ＯＮあるいは、他の制御手段から初期化指示コマンドが発行された場合を示す。その際Ｓ１０１において、ＡＤＦ圧板の開閉状態を確認し、開いていればＳ１０２に進み、閉じられていれば、Ｓ１１２に進む。ＡＤＦ圧板が開いていた場合について説明する。Ｓ１０２では、第１の光学読取ユニット１０６を白基準位置まで移動を行なう。そして、光源をＯＦＦしたまま、ＣＣＤの出力を読込む（Ｓ１０３）。そして、光源をＯＮし（Ｓ１０４）、白基準板を読取り（Ｓ１０５）、オフセット調整及びゲイン調整を行なう。また、Ｓ１０６・１０７で示すように、オフセット・ゲイン調整が３回以内に正常終了すれば、Ｓ１０８に進む。
【００２５】
一方、４回以上の調整は行なわず、Ｓ１１１に進み、異常終了したことをユーザにオペレーションパネル等で知らせる。Ｓ１０８に進み、ＦＢ側の初期化が正常に終了すると、ユーザが両面読取指示をしているか検出し（Ｓ１０９）、両面読取でなければ、ＦＢやＡＤＦ片面読取待ちに入り（Ｓ１１０）、即座に読取を開始できる状態になっている。また、この時もユーザの両面指示を検知し続けて、両面指示をうければ、即座にＳ１０１にもどり、ＡＤＦ側の初期化を行なえるようになっている。
【００２６】
ＡＤＦ圧板が閉じられていた場合について、次に説明する。Ｓ１１２は、Ｓ１０２と同様、第１の光学読取ユニット１０６が白基準位置に移動する。そして、両側の光源をＯＦＦしたまま、ＣＣＤを読取り（Ｓ１１３）、その後、両側の光源をＯＮして２つのＣＣＤの出力を読込む（Ｓ１１５・１１６）。
【００２７】
その後、Ｓ１１６・１１７では、オフセット及びゲイン調整が３回以内に正常に終了していれば、Ｓ１１８に進み、４回以上かかっても調整ができない場合は、Ｓ１２０に進み初期異常になるようになっている。両側の初期化が正常に行われれば、読取コマンド待ちに入り（Ｓ１１９）、ＦＢ読取、ＡＤＦ片面読取、ＡＤＦ両面読取の全ての読取が直ぐに行なえる状態で待機をしている。
【００２８】
以上のようなシーケンスを行なうことにより、少なくとも、ＦＢ及びＡＤＦ片面読取は、ユーザを待たせることなく、読取を開始することができるようになる。
【００２９】
（第２の実施例）
第２の実施例として、ＡＤＦ側の第２の光学読取ユニット２０９の初期化が正常に終了していない場合の処理について、第１の実施例と異なる部分に特化し図３を用いて説明する。
【００３０】
図３におけるＳ２００は、図１におけるＳ１０８と一致した状態である。この時、Ｓ２０１でＡＤＦが閉じられているのかを検知し、その後閉じられている場合は、Ｓ２０２に進み給紙トレイ２０２に原稿があるのか検知する。原稿がある場合は、Ｓ２０３に進み、前回の初期化してからの時間を確認し、ＦＢ側も再度初期化を行なう必要がないと判断すると、Ｓ２０４に進みＡＤＦ側のみ初期化を行なう、一方、かなりの時間が経過しており、もう一度初期化した方がいい場合は、Ｓ２０５に進み、両方の初期化をもう一度行なう。
【００３１】
図３には記載していないが、図３に記載の状態では、常に、ＦＢ読取のコマンド待ち状態に入っており、コマンドをもらえば、いつでもＦＢ読取を優先して行なうようになっている。
【００３２】
以上のようなシーケンスを行なうことにより、少なくとも、ＦＢ読取は、ユーザを待たせることなく、読取を開始することができるようになる。
【００３３】
（第３の実施例）
第３の実施例として、ＡＤＦ側の第２の光学読取ユニット２０９の初期化が正常に終了していない場合の処理について、第１の実施例と異なる部分に特化し図４を用いて説明する。
【００３４】
図４におけるＳ３００は、図１におけるＳ１０８と一致した状態である。ここでは、まず、プラテンガラス上に原稿があるのかを検出する（Ｓ３０１）。そして、Ｓ３０２において、前回の初期化よりも長時間経っていなければ、Ｓ３０３に進み、いかなることがあってもＡＤＦ側の初期化を禁止、いつでも、ＦＢ読取を開始できる状態に移行する。また、初期化を再度行なうと判断した場合は、Ｓ３０４に進み、ＦＢ側の初期化だけを行なう。
【００３５】
また、第２の実施例同様に、図４に記載の状態では、常に、ＦＢ読取のコマンド待ち状態に入っており、コマンドをもらえば、いつでもＦＢ読取を優先して行なうようになっている。
【００３６】
以上のようなシーケンスを行なうことにより、プラテンガラス上に原稿を検知した場合は、ユーザがＦＢ読取をすると判断し、ＡＤＦ側の初期化を一切行なわないようにでき、ユーザを待たせることなく、ＦＢ読取を開始することができる。
【００３７】
（第４の実施例）
第４の実施例として、ＡＤＦ側の第２の光学読取ユニット２０９の初期化が正常に終了していない場合の処理について、第１〜３の実施例と異なる部分に特化し図５を用いて説明する。
【００３８】
図５におけるＳ４００は、図１におけるＳ１０８と一致した状態であり、第１の実施例では、両面を指示されたときのみ、再度ＡＤＦ側の初期化を行なう方法であったが、第４の実施例では、第１の実施例に加えて、次のような操作を行なう。ユーザがオペレーションパネルの操作や原稿の載置を所定時間行なっていないかを検出を行なう（Ｓ４０１）。そして、行っていなければ、Ｓ４０２に進み、ＡＤＦ圧板が閉じられていれば、Ｓ４０３に進み、ＡＤＦ側のみの初期化を行なうか、それともＡＤＦ・ＦＢの両側の初期化を行なうかＳ４０３で判断し、ユーザが使用していない間に初期化を行なうようにしている。
【００３９】
例えば、図６に示すように、ＡＤＦ圧板を閉じられることを検出（Ｓ５０１）することによって、第１の実施例と、第４の実施例を組み合わせて、初期処理について、制御してもかまわない。
【００４０】
以上のようなシーケンスを行なうことにより、ユーザの操作状態に応じて、ＡＤＦ側の初期化を再度行なうか判断し、ユーザビリティーの高い読取装置を提供することが可能になる。
【００４１】
（第５の実施例）
第５の実施例と、スリープから解除されたときの初期化シーケンスについて、図７を用いて説明する。まず、Ｓ６００では、ユーザによって、圧板が開けられたあるいは、オペレーションパネルを操作することによって、スリープ状態からＲｅａｄｙ状態にもどった時を表している。
【００４２】
つぎに、Ｓ６０１では、前回の初期化よりどの程度時間が経っているか、あるいはスリープに入ってからどの程度時間が経っているのかを検出する。スリープに状態に入ってまもなくの復帰であれば、Ｓ６０２に進み、前回の初期化時点で、ＡＤＦ・ＦＢ両方の初期化が正常に終了していたかを確認する。もし、正常に完了していた場合は、読取コマンド待ちにはいる（Ｓ６０３）。
【００４３】
また、ＡＤＦ側のみ初期が終了していない場合は、Ｓ６０５に進み、両面読取を指示されていないかを検出する。Ｓ６０５は、第２〜４の実施例で説明した条件でも構わないが、第１の実施例をもとに説明すると、両面指示をされていなければ、ＦＢ読取が直ぐに行なえる状態に遷移し、また両面読取を指示された場合は、Ｓ６０６に進み、ＡＤＦ側のむ初期化を行なう。
【００４４】
一方、前回の初期化よりかなりの時間が経っており、もう一度初期化を行なった方が良いと判断した場合は、Ｓ６０７に進み、ＡＤＦ圧板に開閉状態を検出する。ここでも今までと同様に、閉じられていれば、Ｓ６０８でＡＤＦ・ＦＢの両面側の初期化を行なう。一方、圧板が開いていた場合は、ＦＢ側のみ初期化を行なうように制御を行なう（Ｓ６０９）。
【００４５】
以上のようなシーケンスにより、ユーザの圧板開閉操作によって、スリープ状態からＲｅａｄｙ状態に遷移する際に、ＡＤＦ側の初期化が正常に完了しなかった場合のユーザビリティを向上することができる。つまり、ユーザがＡＤＦ圧板を開けたという行為は、ＦＢ読取をするためであり、ＡＤＦ側の初期化が正常に終了していなくても、行なえる行為であるため、故障でなければ、常にＦＢ読取を行なえる状態にすることにより、ユーザビリティの向上につながるものである。
【００４６】
【発明の効果】
以上説明したように、本発明によれば、圧板が開閉状態に応じて、初期化が正常に終了しなかった際に、圧板が閉じられると直ぐに初期化を行なうことを防ぎ、ユーザの使用方法によっては、一方の読取手段のみで読取可能にし、ユーザを待たせるようなイライラ感をなくすことができる。
【図面の簡単な説明】
【図１】本発明に係る代表的な両面同時読取装置
【図２】本発明に係る初期化シーケンス
【図３】本発明に係る初期化シーケンス２
【図４】本発明に係る初期化シーケンス３
【図５】本発明に係る初期化シーケンス４
【図６】本発明に係る初期化シーケンス５
【図７】スリープ解除時の本発明に係る初期化シーケンス
【符号の説明】
１０１‥‥プラテンガラス
１０２‥‥第１の照射光源
１０３‥‥第１の反射ミラー
１０４‥‥第１の集光レンズ
１０５‥‥第１のＣＣＤ
１０６‥‥キャリッジ（第一光学読取ユニット）
１０７‥‥第１の白基準板
２０１‥‥自動搬送装置
２０２‥‥給紙トレイ
２０３‥‥ピックアップローラ
２０４‥‥給紙ローラ
２０５‥‥第２の照射光源
２０６‥‥第２の反射ミラー
２０７‥‥第２の集光レンズ
２０８‥‥第２のＣＣＤ
２０９‥‥第２の光学読取ユニット
２１０‥‥第２の白基準板
２１１‥‥排紙ローラ
２１２‥‥排紙トレイ
【図１】
2004180198.tif 000003
【図２】
2004180198.tif 000004
【図３】
2004180198.tif 000005
【図４】
2004180198.tif 000006
【図５】
2004180198.tif 000007
【図６】
2004180198.tif 000008
【図７】
2004180198.tif 000009